(57)【特許請求の範囲】
【請求項１】
複数の動画像コンテンツの各々に対応するコンテンツ枠が配置されたコンテンツ表の前記コンテンツ枠に各々対応する格納領域を有する動画像コンテンツ格納部と、
前記動画像コンテンツ格納部から、前記コンテンツ枠のうち再生対象コンテンツ枠の動画像コンテンツを取得して動画像再生データを生成する再生部と、
前記再生対象コンテンツ枠の動画像再生データを表示画面上に表示する表示部と、
前記再生対象コンテンツ枠を基準に所定の優先順位に従って前記コンテンツ枠に対応する動画像コンテンツをコンテンツ配信装置から取得し、取得した動画像コンテンツを前記動画像コンテンツ格納部の対応する前記格納領域に格納する取得部と、
前記表示画面のスクロール量に応じて、前記コンテンツ表のコンテンツ枠の中から前記再生対象コンテンツ枠の再設定を実行する制御部と、
前記表示画面のスクロールの操作の情報を前記制御部に出力する操作部と、
を備える端末装置。
【請求項２】
前記制御部は、前記表示画面のスクロール量と一コンテンツ枠当たりの所定スクロール量とに基づいてコンテンツ枠何個分のスクロールであるかを判断し、該判断結果に基づいて、前記コンテンツ表のコンテンツ枠の中から、前記再生対象コンテンツ枠の再設定で前記再生対象コンテンツ枠として設定するコンテンツ枠を決定する、
請求項１に記載の端末装置。
【請求項３】
前記取得部は、前記基準の前記再生対象コンテンツ枠に近い方の前記コンテンツ枠を優先する、
請求項１又は２のいずれか１項に記載の端末装置。
【請求項４】
前記取得部は、前記基準の前記再生対象コンテンツ枠を含む列又は行に配置される前記コンテンツ枠を優先する、
請求項１から３のいずれか１項に記載の端末装置。
【請求項５】
前記コンテンツ枠に各々対応する格納領域を有する静止画像格納部を備え、
前記表示部は、前記コンテンツ表の列又は行の方向の並び順で、前記再生対象コンテンツ枠に対応する動画像コンテンツの動画像再生データと、前記再生対象コンテンツ枠に連続する前記コンテンツ枠に対応する前記静止画像格納部の前記格納領域に格納される静止画像と、を同一表示画面上に表示する、
請求項１から４のいずれか１項に記載の端末装置。
【請求項６】
コンピュータに、
複数の動画像コンテンツの各々に対応するコンテンツ枠が配置されたコンテンツ表の前記コンテンツ枠に各々対応する格納領域を有する動画像コンテンツ格納部から、前記コンテンツ枠のうち再生対象コンテンツ枠の動画像コンテンツを取得して動画像再生データを生成する再生ステップと、
前記再生対象コンテンツ枠の動画像再生データを表示画面上に表示する表示ステップと、
前記再生対象コンテンツ枠を基準に所定の優先順位に従って前記コンテンツ枠に対応する動画像コンテンツをコンテンツ配信装置から取得し、取得した動画像コンテンツを前記動画像コンテンツ格納部の対応する前記格納領域に格納する取得ステップと、
前記表示画面のスクロール量に応じて、前記コンテンツ表のコンテンツ枠の中から前記再生対象コンテンツ枠の再設定を実行する制御ステップと、
前記表示画面のスクロールの操作の情報を前記制御ステップに出力する操作ステップと、
を実行させるためのコンピュータプログラム。
【請求項７】
前記制御ステップは、前記表示画面のスクロール量と一コンテンツ枠当たりの所定スクロール量とに基づいてコンテンツ枠何個分のスクロールであるかを判断し、該判断結果に基づいて、前記コンテンツ表のコンテンツ枠の中から、前記再生対象コンテンツ枠の再設定で前記再生対象コンテンツ枠として設定するコンテンツ枠を決定する、
請求項６に記載のコンピュータプログラム。
【発明の詳細な説明】
【技術分野】
【０００１】
本発明は、端末装置、及び、コンピュータプログラムに関する。
【背景技術】
【０００２】
従来、コンテンツリストを端末の表示画面上に表示してユーザに提示する技術として、例えば特許文献１に記載される技術が知られている。
【先行技術文献】
【特許文献】
【０００３】
【特許文献１】特開２０１０−２７７５１０号公報
【発明の概要】
【発明が解決しようとする課題】
【０００４】
しかし、上述した従来の技術では、コンテンツリストとしてサムネイル画像の一覧を表示するので、ユーザにコンテンツを紹介する際に、コンテンツに対するユーザの関心を引き難い可能性があった。
【０００５】
本発明は、このような事情を考慮してなされたものであり、ユーザにコンテンツを紹介する際に、コンテンツに対するユーザの関心度の向上に寄与できる、端末装置、及び、コンピュータプログラムを提供することを課題とする。
【課題を解決するための手段】
【０００６】
（１）本発明の一態様は、複数の動画像コンテンツの各々に対応するコンテンツ枠が配置されたコンテンツ表の前記コンテンツ枠に各々対応する格納領域を有する動画像コンテンツ格納部と、前記動画像コンテンツ格納部から、前記コンテンツ枠のうち再生対象コンテンツ枠の動画像コンテンツを取得して動画像再生データを生成する再生部と、前記再生対象コンテンツ枠の動画像再生データを表示画面上に表示する表示部と、前記再生対象コンテンツ枠を基準に所定の優先順位に従って前記コンテンツ枠に対応する動画像コンテンツをコンテンツ配信装置から取得し、取得した動画像コンテンツを前記動画像コンテンツ格納部の対応する前記格納領域に格納する取得部と、を備える端末装置である。
（２）本発明の一態様は、上記（１）の端末装置において、前記取得部は、前記基準の前記再生対象コンテンツ枠に近い方の前記コンテンツ枠を優先する、端末装置である。
（３）本発明の一態様は、上記（１）又は（２）のいずれかの端末装置において、前記取得部は、前記基準の前記再生対象コンテンツ枠を含む列又は行に配置される前記コンテンツ枠を優先する、端末装置である。
（４）本発明の一態様は、上記（１）から（３）のいずれかの端末装置において、前記コンテンツ枠に各々対応する格納領域を有する静止画像格納部を備え、前記表示部は、前記コンテンツ表の列又は行の方向の並び順で、前記再生対象コンテンツ枠に対応する動画像コンテンツの動画像再生データと、前記再生対象コンテンツ枠に連続する前記コンテンツ枠に対応する前記静止画像格納部の前記格納領域に格納される静止画像と、を同一表示画面上に表示する、端末装置である。
【０００７】
（５）本発明の一態様は、コンピュータに、複数の動画像コンテンツの各々に対応するコンテンツ枠が配置されたコンテンツ表の前記コンテンツ枠に各々対応する格納領域を有する動画像コンテンツ格納部から、前記コンテンツ枠のうち再生対象コンテンツ枠の動画像コンテンツを取得して動画像再生データを生成する再生ステップと、前記再生対象コンテンツ枠の動画像再生データを表示画面上に表示する表示ステップと、前記再生対象コンテンツ枠を基準に所定の優先順位に従って前記コンテンツ枠に対応する動画像コンテンツをコンテンツ配信装置から取得し、取得した動画像コンテンツを前記動画像コンテンツ格納部の対応する前記格納領域に格納する取得ステップと、を実行させるためのコンピュータプログラムである。
【発明の効果】
【０００８】
本発明によれば、ユーザにコンテンツを紹介する際に、コンテンツに対するユーザの関心度の向上に寄与できるという効果が得られる。
【図面の簡単な説明】
【０００９】
【図１】本発明の一実施形態に係るコンテンツ配信システムを示す構成図である。
【図２】本発明の一実施形態に係る端末装置１のハードウェア構成例を示す図である。
【図３】本発明の一実施形態に係るコンテンツ表２０の構成例を示す図である。
【図４】本発明の一実施形態に係る動画像コンテンツ格納部１２の構成例を示す図である。
【図５】本発明の一実施形態に係る静止画像格納部１５の構成例を示す図である。
【図６】本発明の一実施形態に係るコンテンツ再生制御方法の手順を示すフローチャートである。
【図７】本発明の一実施形態に係る端末装置１の表示画面１００の構成例を示す図である。
【図８】本発明の一実施形態に係る動画像コンテンツの取得の優先順位の例の説明図である。
【図９】本発明の一実施形態に係る端末装置１の動作例の説明図である。
【図１０】本発明の一実施形態に係る端末装置１の動作例の説明図である。
【図１１】本発明の一実施形態に係る端末装置１の動作例の説明図である。
【発明を実施するための形態】
【００１０】
以下、図面を参照し、本発明の実施形態について説明する。
図１は、本発明の一実施形態に係るコンテンツ配信システムを示す構成図である。図１において、端末装置１は、通信ネットワーク３を介して、コンテンツ配信装置２にアクセスする。通信ネットワーク３は、無線通信ネットワークであってもよく、又は、有線通信ネットワークであってもよく、又は、無線通信ネットワークと有線通信ネットワークとの組合せであってもよい。
【００１１】
コンテンツ配信装置２は、端末装置１からの要求に応じて、本動画像コンテンツを、要求元の端末装置１へ配信する。本動画像コンテンツは、例えば、映画やドラマ、音楽ビデオなどの本編である。コンテンツ配信装置２は、端末装置１に対して、本動画像コンテンツの紹介用に作成されたコンテンツ表２０を配信する。コンテンツ表２０は、本動画像コンテンツの紹介用に作成された動画像コンテンツ（以下、単に動画像コンテンツと称する）の一覧表である。動画像コンテンツは、本動画像コンテンツの例えば一部分又は予告編である。動画像コンテンツとして、例えば、映画やドラマ、音楽ビデオなどの本編の一部分又は予告編が挙げられる。
【００１２】
コンテンツ配信装置２は、端末装置１に対して、本動画像コンテンツの紹介用に作成された静止画像（以下、単に静止画像と称する）を配信する。静止画像は、例えば本動画像コンテンツの動画像ファイルから生成された静止画像である。静止画像として、例えば、映画やドラマ、音楽ビデオなどの本編の動画像ファイルから生成されたサムネイル画像が挙げられる。コンテンツ表２０は、静止画像の一覧表でもある。
【００１３】
端末装置１は、取得部１１と、動画像コンテンツ格納部１２と、再生部１３と、制御部１４と、静止画像格納部１５と、表示部１６と、操作部１７と、を備える。取得部１１は、コンテンツ配信装置２から、動画像コンテンツと静止画像とコンテンツ表２０とを取得する。取得部１１は、コンテンツ配信装置２から取得したコンテンツ表２０を保持する。動画像コンテンツ格納部１２は、取得部１１がコンテンツ配信装置２から取得した動画像コンテンツを格納する。再生部１３は、動画像コンテンツの動画像再生データを生成する。制御部１４は、端末装置１のコンテンツ再生制御を行う。静止画像格納部１５は、取得部１１がコンテンツ配信装置２から取得した静止画像を格納する。表示部１６は、動画像再生データを表示画面上に表示する。また、表示部１６は、静止画像格納部１５に格納される静止画像を表示画面上に表示する。操作部１７は、ユーザからの操作を受け付け、受け付けた操作の情報を制御部１４へ出力する。
【００１４】
図２は、本発明の一実施形態に係る端末装置１のハードウェア構成例を示す図である。図２において、端末装置１は、ＣＰＵ＿３１（演算処理部）と、プログラム記憶部３２と、データ記憶部３３と、通信モジュール３４と、入力デバイス３５と、表示デバイス３６とを備える。これら各部はデータを交換できるように構成される。
【００１５】
ＣＰＵ＿３１は端末装置１の制御を行う。この制御機能は、ＣＰＵ＿３１がコンピュータプログラムを実行することにより実現される。プログラム記憶部３２は、ＣＰＵ＿３１によって実行されるコンピュータプログラムを記憶する。プログラム記憶部３２は、コンテンツ再生制御プログラム４１を記憶する。ＣＰＵ＿３１がプログラム記憶部３２に記憶されるコンテンツ再生制御プログラム４１を実行することにより、図１に示される端末装置１の各部の機能が実現される。
【００１６】
データ記憶部３３はデータを記憶する。図１に示される端末装置１の動画像コンテンツ格納部１２の格納領域と静止画像格納部１５の格納領域とは、図２に示されるデータ記憶部３３内に設けられる。図１に示されるコンテンツ表２０は図２に示されるデータ記憶部３３に記憶される。通信モジュール３４は、図１に示される通信ネットワーク３を介した通信を実現する通信モジュールである。
【００１７】
入力デバイス３５は、キーボード、テンキー、マウス、操作ボタン等の入力デバイスから構成され、ユーザの操作に応じたデータ入力を行う。表示デバイス３６は、液晶表示装置等の表示デバイスから構成され、データ表示を行う。また、データ入力とデータ表示の両方が可能なタッチパネルを備えてもよい。
【００１８】
端末装置１として、汎用のコンピュータ装置を使用してもよく、又は、専用のハードウェア装置として構成してもよい。また、端末装置１として、スマートフォン等の携帯通信端末装置、タブレット型のコンピュータ装置、据置き型のパーソナルコンピュータ装置などを使用してもよい。
【００１９】
図３は、本発明の一実施形態に係るコンテンツ表２０の構成例を示す図である。コンテンツ表２０は、複数の動画像コンテンツの各々に対応するコンテンツ枠が配置された表である。図３の例では、コンテンツ表２０の各列は各チャンネルｃｈ１，ｃｈ２，ｃｈ３，ｃｈ４，ｃｈ５，・・・に割り当てられる。チャンネルは、例えば、動画像コンテンツのジャンル別に存在する。チャンネルとして、例えば、邦画チャンネル、洋画チャンネル、ドラマチャンネル、音楽ビデオチャンネルなどが挙げられる。また、チャンネルとして、ユーザへの推薦コンテンツを集めたチャンネルや、ユーザがお気に入り登録したコンテンツを集めたチャンネルなどを設けてもよい。
【００２０】
図３の例では、コンテンツ表２０の各行は項番である。項番は、例えば、動画像コンテンツの追加が遅い方が小さい値である。この場合、各チャンネルｃｈ１，ｃｈ２，ｃｈ３，ｃｈ４，ｃｈ５，・・・において、最新の動画像コンテンツには１番が付与される。したがって、各チャンネルｃｈ１，ｃｈ２，ｃｈ３，ｃｈ４，ｃｈ５，・・・において、最新の動画像コンテンツが１個追加されると、既存の動画像コンテンツの項番は１だけ増加する。
【００２１】
図３の例では、コンテンツ表２０は、チャンネルｃｈ１，ｃｈ２，ｃｈ３，ｃｈ４，ｃｈ５，・・・毎に、各項番のコンテンツ枠を配置する。例えば、チャンネルｃｈ１に対して、１番のコンテンツ枠ｃｏｎ１１、２番のコンテンツ枠ｃｏｎ１２、３番のコンテンツ枠ｃｏｎ１３などがコンテンツ表２０に配置される。
【００２２】
図４は、本発明の一実施形態に係る動画像コンテンツ格納部１２の構成例を示す図である。動画像コンテンツ格納部１２は、コンテンツ表２０のコンテンツ枠に各々対応する格納領域を有する。図４の例は、図３のコンテンツ表２０に対応する。図４の例では、図３のコンテンツ表２０のコンテンツ枠ｃｏｎ１１，ｃｏｎ１２，・・・に各々対応するｃｏｎ１１格納領域，ｃｏｎ１２格納領域，・・・を有する。例えば、ｃｏｎ１１格納領域には、コンテンツ表２０のコンテンツ枠ｃｏｎ１１に対応する動画像コンテンツが格納される。ｃｏｎ１２格納領域には、コンテンツ表２０のコンテンツ枠ｃｏｎ１２に対応する動画像コンテンツが格納される。コンテンツ表２０が、動画像コンテンツの追加又は削除により更新される場合、この更新内容に合わせて動画像コンテンツ格納部１２の構成も更新される。
【００２３】
図５は、本発明の一実施形態に係る静止画像格納部１５の構成例を示す図である。静止画像格納部１５は、コンテンツ表２０のコンテンツ枠に各々対応する格納領域を有する。図５の例は、図３のコンテンツ表２０に対応する。図５の例では、図３のコンテンツ表２０のコンテンツ枠ｃｏｎ１１，ｃｏｎ１２，・・・に各々対応するｃｏｎ１１格納領域，ｃｏｎ１２格納領域，・・・を有する。例えば、ｃｏｎ１１格納領域には、コンテンツ表２０のコンテンツ枠ｃｏｎ１１に対応する静止画像が格納される。ｃｏｎ１２格納領域には、コンテンツ表２０のコンテンツ枠ｃｏｎ１２に対応する静止画像が格納される。コンテンツ表２０が、動画像コンテンツの追加又は削除により更新される場合、この更新内容に合わせて静止画像格納部１５の構成も更新される。静止画像は所定のタイミングで取得部１１によりコンテンツ配信装置２から取得される。例えば、静止画像は、コンテンツ表２０の取得時に、取得部１１によりコンテンツ配信装置２から取得される。コンテンツ配信装置２から取得された静止画像は、静止画像格納部１５の対応する格納領域に格納される。
【００２４】
次に図６を参照して、本実施形態に係る端末装置１の動作を説明する。図６は、本発明の一実施形態に係るコンテンツ再生制御方法の手順を示すフローチャートである。端末装置１において、所定の契機により図６の手順が開始される。例えば、ユーザが、コンテンツ再生制御プログラム４１を起動する操作を行うことによって、図６の手順が開始される。
【００２５】
（ステップＳ１）取得部１１は、コンテンツ配信装置２から、コンテンツ表２０を取得する。動画像コンテンツ格納部１２は、取得部１１が取得したコンテンツ表２０に従って、自己の格納領域を構成する。同様に、静止画像格納部１５は、取得部１１が取得したコンテンツ表２０に従って、自己の格納領域を構成する。取得部１１は、取得したコンテンツ表２０のコンテンツ枠の中から、再生対象コンテンツ枠として初期再生のコンテンツ枠を設定する。初期再生のコンテンツ枠は、デフォルトで設定されてもよく、又は、ユーザの操作に基づいて設定されてもよい。
【００２６】
（ステップＳ２）再生部１３は、再生対象コンテンツ枠の動画像コンテンツが動画像コンテンツ格納部１２に格納されている場合、動画像コンテンツ格納部１２から再生対象コンテンツ枠の動画像コンテンツを取得して動画像再生データを生成する。例えば、コンテンツ配信装置２が動画像コンテンツを符号化ファイルで端末装置１へ配信する場合、動画像コンテンツ格納部１２には、取得部１１がコンテンツ配信装置２から取得した動画像コンテンツの符号化ファイルが格納される。再生部１３は、動画像コンテンツ格納部１２から取得した再生対象コンテンツ枠の動画像コンテンツの符号化ファイルを復号化する。この復号化結果は再生対象コンテンツ枠の動画像再生データである。
【００２７】
一方、再生対象コンテンツ枠の動画像コンテンツが動画像コンテンツ格納部１２に格納されていない場合、取得部１１は、コンテンツ配信装置２から再生対象コンテンツ枠の動画像コンテンツを取得する。この取得された再生対象コンテンツ枠の動画像コンテンツは、動画像コンテンツ格納部１２の対応する格納領域に格納される。再生部１３は、取得部１１がコンテンツ配信装置２から取得した再生対象コンテンツ枠の動画像コンテンツを使用して、動画像再生データを生成する。例えば、取得部１１は、コンテンツ配信装置２から再生対象コンテンツ枠の動画像コンテンツとして、動画像コンテンツの符号化ファイルをストリーミング形式でダウンロードする。再生部１３は、取得部１１がコンテンツ配信装置２からストリーミング形式でダウンロードした動画像コンテンツの符号化ファイルを復号化する。この復号化結果は再生対象コンテンツ枠の動画像再生データである。
【００２８】
（ステップＳ３）再生部１３が生成した再生対象コンテンツ枠の動画像再生データは、表示部１６に出力される。表示部１６は、再生対象コンテンツ枠の動画像再生データと、静止画像格納部１５に格納される静止画像のうち再生対象コンテンツ枠に連続するコンテンツ枠に対応する格納領域に格納される静止画像と、を同一表示画面上に表示する。
【００２９】
図７は、本発明の一実施形態に係る端末装置１の表示画面１００の構成例を示す図である。図７の例は、図３のコンテンツ表２０に対応する。図７において、表示画面１００は、チャネルリスト部１１０と、コンテンツ表示部１２０とを有する。チャネルリスト部１１０は、コンテンツ表２０の各チャンネルｃｈ１，ｃｈ２，ｃｈ３，ｃｈ４，ｃｈ５，・・・のリストを表示する部分である。チャネルリスト部１１０は、各チャンネルｃｈ１，ｃｈ２，ｃｈ３，ｃｈ４，ｃｈ５，・・・に対応する操作部分を有する。チャネルリスト部１１０は、スクロール方向１３０に沿って、スクロールが可能である。チャネルリスト部１１０のスクロールによって、表示画面１００のサイズの制限によって表示画面１００上に表示されていなかったチャンネルの操作部分が表示される。
【００３０】
ユーザが、例えば、チャンネルｃｈ１の操作部分を選択すると、操作部１７は、チャンネルｃｈ１の選択を制御部１４へ通知する。制御部１４は、チャンネルｃｈ１の選択の通知を受けると、チャンネルｃｈ１の選択を実行する。制御部１４によるチャンネルｃｈ１の選択の実行により、チャンネルｃｈ１の所定のコンテンツ枠が再生対象コンテンツ枠に設定される。例えば、チャンネルｃｈ１の最新の動画像コンテンツのコンテンツ枠ｃｏｎ１１が再生対象コンテンツ枠に設定される。又は、チャンネルｃｈ１で過去の直近で再生した動画像コンテンツのコンテンツ枠が再生対象コンテンツ枠に設定される。
【００３１】
コンテンツ表示部１２０は、第１コンテンツ表示部１２０−１と、第２コンテンツ表示部１２０−２と、第３コンテンツ表示部１２０−３とを有する。第１コンテンツ表示部１２０−１は、再生対象コンテンツ枠の動画像再生データを表示する部分である。第１コンテンツ表示部１２０−１において、再生対象コンテンツ枠の動画像再生データが表示されることにより、再生対象コンテンツ枠の動画像コンテンツが再生される。第２コンテンツ表示部１２０−２は、静止画像格納部１５に格納される静止画像のうち、再生対象コンテンツ枠に連続するコンテンツ枠に対応する格納領域に格納される静止画像を表示する部分である。第３コンテンツ表示部１２０−３は、静止画像格納部１５に格納される静止画像のうち、第２コンテンツ表示部１２０−２で表示される静止画像のコンテンツ枠に連続するコンテンツ枠に対応する格納領域に格納される静止画像を表示する部分である。
【００３２】
例えば、図３のコンテンツ表２０のチャンネルｃｈ１が選択され、チャンネルｃｈ１の最新の動画像コンテンツのコンテンツ枠ｃｏｎ１１が再生対象コンテンツ枠に設定されたとする。この場合、第１コンテンツ表示部１２０−１には、チャンネルｃｈ１のコンテンツ枠ｃｏｎ１１の動画像再生データが表示される。第２コンテンツ表示部１２０−２には、チャンネルｃｈ１のコンテンツ枠ｃｏｎ１２の静止画像が表示される。第３コンテンツ表示部１２０−３には、チャンネルｃｈ１のコンテンツ枠ｃｏｎ１３の静止画像が表示される。
【００３３】
ユーザは、第１コンテンツ表示部１２０−１で再生中の動画像コンテンツを選択する操作を行うことにより、当該再生中の動画像コンテンツに関連する本動画像コンテンツを選択することができる。また、ユーザは、第２コンテンツ表示部１２０−２で表示される静止画像又は第３コンテンツ表示部１２０−３で表示される静止画像を選択する操作を行うことにより、当該表示中の静止画像に関連する本動画像コンテンツを選択することができる。そして、ユーザは、該選択した本動画像コンテンツの配信を要求する操作を行うことにより、該選択した本動画像コンテンツをコンテンツ配信装置２から端末装置１に配信してもらうことができる。これにより、ユーザは、端末装置１に配信された本動画像コンテンツを、端末装置１の表示画面１００上で再生して視聴することができる。例えば、ユーザは、第１コンテンツ表示部１２０−１で再生中の映画予告編を選択する操作を行うことにより、当該再生中の映画予告編の映画本編を選択することができる。そして、ユーザは、該選択した映画本編の配信を要求する操作を行うことにより、該選択した映画本編をコンテンツ配信装置２から端末装置１に配信してもらうことができる。これにより、ユーザは、端末装置１に配信された映画本編を、端末装置１の表示画面１００上で再生して視聴することができる。
【００３４】
コンテンツ表示部１２０は、スクロール方向１４０に沿って、スクロールが可能である。コンテンツ表示部１２０のスクロールによって、表示画面１００のサイズの制限によって表示画面１００上に表示されていなかったコンテンツ枠が表示画面１００上への表示対象に設定される。
【００３５】
例えば、図３のコンテンツ表２０のチャンネルｃｈ１が選択され、チャンネルｃｈ１の最新の動画像コンテンツのコンテンツ枠ｃｏｎ１１が再生対象コンテンツ枠に設定され、第１コンテンツ表示部１２０−１にチャンネルｃｈ１のコンテンツ枠ｃｏｎ１１の動画像再生データが表示され、第２コンテンツ表示部１２０−２にチャンネルｃｈ１のコンテンツ枠ｃｏｎ１２の静止画像が表示され、第３コンテンツ表示部１２０−３にチャンネルｃｈ１のコンテンツ枠ｃｏｎ１３の静止画像が表示されているとする。ここで、ユーザが、例えば、コンテンツ表２０におけるチャンネルｃｈ１のコンテンツ枠ｃｏｎ１４の方へコンテンツ表示部１２０をスクロールすると、操作部１７は、そのチャンネルｃｈ１のコンテンツ枠ｃｏｎ１４の方へのスクロールを制御部１４へ通知する。
【００３６】
制御部１４は、チャンネルｃｈ１のコンテンツ枠ｃｏｎ１４の方へのスクロールの通知を受けると、当該スクロール量に応じて、再生対象コンテンツ枠の再設定を実行する。制御部１４による再生対象コンテンツ枠の再設定の実行により、チャンネルｃｈ１のいずれかのコンテンツ枠が再生対象コンテンツ枠に設定される。例えば、制御部１４は、操作部１７から通知のスクロール量と、一コンテンツ枠当たりの所定スクロール量とに基づいてコンテンツ枠何個分のスクロールであるかを判断し、この判断結果から、再生対象コンテンツ枠に再設定するコンテンツ枠を決定する。例えば、コンテンツ枠の２個分のスクロールであると判断した場合、制御部１４は、現在の再生対象コンテンツ枠ｃｏｎ１１からチャンネルｃｈ１のコンテンツ枠ｃｏｎ１３に、再生対象コンテンツ枠を変更する。この結果として、第１コンテンツ表示部１２０−１には、チャンネルｃｈ１のコンテンツ枠ｃｏｎ１３の動画像再生データが表示される。第２コンテンツ表示部１２０−２には、チャンネルｃｈ１のコンテンツ枠ｃｏｎ１４の静止画像が表示される。第３コンテンツ表示部１２０−３には、チャンネルｃｈ１のコンテンツ枠ｃｏｎ１５の静止画像が表示される。
【００３７】
なお、静止画像を表示するコンテンツ表示部として、第２コンテンツ表示部１２０−２の１個のみを設けてもよく、又は、３個以上のコンテンツ表示部を設けてもよい。また、コンテンツ表示部１２０は、少なくとも動画像再生データを表示する第１コンテンツ表示部１２０−１を有すればよく、静止画像を表示するコンテンツ表示部を有さなくてもよい。
【００３８】
（ステップＳ４）取得部１１は、再生対象コンテンツ枠を基準に所定の優先順位に従って、コンテンツ表２０のコンテンツ枠に対応する動画像コンテンツをコンテンツ配信装置２から取得する。取得部１１は、コンテンツ配信装置２から取得した動画像コンテンツを動画像コンテンツ格納部１２の対応する格納領域に格納する。
【００３９】
図８は、本発明の一実施形態に係る動画像コンテンツの取得の優先順位の例の説明図である。図８の例は、図３のコンテンツ表２０に対応する。図８には、図７に示されるコンテンツ表示部１２０の表示範囲２００のコンテンツ枠と、コンテンツ表示部１２０に表示されない表示範囲２００の外のコンテンツ枠とが示される。図８において、表示範囲２００に含まれる３個のコンテンツ枠は表示対象のコンテンツ枠である。チャンネルｃｈ２のコンテンツ枠のうち、図８中に「再生中（基準）」と記載されたコンテンツ枠が再生対象コンテンツ枠である。再生対象コンテンツ枠の動画像コンテンツは、再生対象コンテンツ枠の動画像再生データが図７に示される第１コンテンツ表示部１２０−１に表示されることにより、再生中である。チャンネルｃｈ２のコンテンツ枠のうち、図８中に「第１静止画像表示中」と記載されたコンテンツ枠（第１静止画像表示中コンテンツ枠）は、再生対象コンテンツ枠に連続するコンテンツ枠である。第１静止画像表示中コンテンツ枠の静止画像は、図７に示される第２コンテンツ表示部１２０−２に表示中である。チャンネルｃｈ２のコンテンツ枠のうち、図８中に「第２静止画像表示中」と記載されたコンテンツ枠（第２静止画像表示中コンテンツ枠）は、第１静止画像表示中コンテンツ枠に連続するコンテンツ枠である。第２静止画像表示中コンテンツ枠の静止画像は、図７に示される第３コンテンツ表示部１２０−３に表示中である。
【００４０】
図８において、各コンテンツ枠におけるカッコ内の数字が優先順位を示す。以下、図８に示される優先順位の例を説明する。再生対象コンテンツ枠は、優先順位の基準になるコンテンツ枠である。再生対象コンテンツ枠に連続するコンテンツ枠のうち、第１静止画像表示中コンテンツ枠が、優先順位「１位」である。再生対象コンテンツ枠のチャンネルｃｈ２の隣のチャンネルｃｈ３のコンテンツ枠のうち、再生対象コンテンツ枠に最も近いコンテンツ枠が、優先順位「２位」である。再生対象コンテンツ枠のチャンネルｃｈ２の隣のチャンネルｃｈ１のコンテンツ枠のうち、再生対象コンテンツ枠に最も近いコンテンツ枠が、優先順位「３位」である。再生対象コンテンツ枠に連続するコンテンツ枠のうち、表示範囲２００の外のコンテンツ枠が、優先順位「４位」である。再生対象コンテンツ枠のチャンネルｃｈ２の隣のチャンネルｃｈ３のコンテンツ枠のうち、優先順位「２位」のコンテンツ枠に連続し且つスクロール方向１４０で表示範囲２００側のコンテンツ枠が、優先順位「５位」である。再生対象コンテンツ枠のチャンネルｃｈ２の隣のチャンネルｃｈ１のコンテンツ枠のうち、優先順位「３位」のコンテンツ枠に連続し且つスクロール方向１４０で表示範囲２００側のコンテンツ枠が、優先順位「６位」である。再生対象コンテンツ枠のチャンネルｃｈ２の隣のチャンネルｃｈ３のコンテンツ枠のうち、優先順位「２位」のコンテンツ枠に連続し且つスクロール方向１４０で表示範囲２００の反対側のコンテンツ枠が、優先順位「７位」である。再生対象コンテンツ枠のチャンネルｃｈ２の隣のチャンネルｃｈ１のコンテンツ枠のうち、優先順位「３位」のコンテンツ枠に連続し且つスクロール方向１４０で表示範囲２００の反対側のコンテンツ枠が、優先順位「８位」である。
【００４１】
図８の優先順位の例において、優先順位「１位」から「４位」までは、基準の再生対象コンテンツ枠に近い方のコンテンツ枠である。図８の優先順位の例において、優先順位「１位」と「４位」とは、基準の再生対象コンテンツ枠を含む列に配置されるコンテンツ枠である。
【００４２】
なお、図８において、動画像コンテンツの取得の優先順位を付けるときのコンテンツ枠の配置は、コンテンツ表２０の配置であってもよく、又は、コンテンツ表２０の配置とは異なってもよい。例えば、各チャンネルｃｈ１，ｃｈ２，ｃｈ３内のコンテンツ枠の配置は、コンテンツ表２０の各チャンネルｃｈ１，ｃｈ２，ｃｈ３の列内の配置通りである。但し、各チャンネルｃｈ１，ｃｈ２，ｃｈ３の間の関係は、コンテンツ表２０の各チャンネルｃｈ１，ｃｈ２，ｃｈ３の間の配置通りであってもよく、又は、コンテンツ表２０の各チャンネルｃｈ１，ｃｈ２，ｃｈ３の間の配置とは異なってもよい。
【００４３】
例えば、動画像コンテンツの取得の優先順位を付けるときのコンテンツ枠の配置は、図７に示されるコンテンツ表示部１２０の表示範囲２００に表示されるコンテンツ枠を基準にした配置である。この場合、図８において、各チャンネルｃｈ１，ｃｈ２，ｃｈ３の間の関係は、図７に示されるコンテンツ表示部１２０の表示範囲２００を基準した関係である。チャンネルｃｈ２では、コンテンツ表示部１２０に表示中の再生対象コンテンツ枠と第１静止画像表示中コンテンツ枠と第２静止画像表示中コンテンツ枠とが表示範囲２００の中に存在する。チャンネルｃｈ１では、チャンネルｃｈ１が選択された場合に、再生対象コンテンツ枠、第１静止画像表示中コンテンツ枠及び第２静止画像表示中コンテンツ枠になるコンテンツ枠が、図８中の表示範囲２００の隣に配置される。この場合、チャンネルｃｈ１が選択された場合に再生対象コンテンツ枠となるコンテンツ枠が図８中の優先順位「３位」である。また、チャンネルｃｈ１が選択された場合に第１静止画像表示中コンテンツ枠となるコンテンツ枠が図８中の優先順位「６位」である。チャンネルｃｈ３では、チャンネルｃｈ３が選択された場合に、再生対象コンテンツ枠、第１静止画像表示中コンテンツ枠及び第２静止画像表示中コンテンツ枠になるコンテンツ枠が、図８中の表示範囲２００の隣に配置される。この場合、チャンネルｃｈ３が選択された場合に再生対象コンテンツ枠となるコンテンツ枠が図８中の優先順位「２位」である。また、チャンネルｃｈ３が選択された場合に第１静止画像表示中コンテンツ枠となるコンテンツ枠が図８中の優先順位「５位」である。
【００４４】
以上が図８に示される優先順位の例の説明である。なお、動画像コンテンツの取得の優先順位の付け方の例として、再生対象コンテンツ枠を基準にし、基準の再生対象コンテンツ枠に近い方のコンテンツ枠を優先することが挙げられる。又は、動画像コンテンツの取得の優先順位の付け方の例として、再生対象コンテンツ枠を基準にし、基準の再生対象コンテンツ枠を含む列又は行に配置されるコンテンツ枠を優先することが挙げられる。
【００４５】
また、動画像コンテンツの取得の優先順位を付けるときのコンテンツ枠の配置の例として、コンテンツ枠の配置はコンテンツ表２０の配置であることが挙げられる。又は、動画像コンテンツの取得の優先順位を付けるときのコンテンツ枠の配置の例として、コンテンツ枠の配置は、表示画面上の表示範囲に表示されるコンテンツ枠を基準にした配置であることが挙げられる。
【００４６】
説明を図６のステップＳ４に戻す。取得部１１は、例えば図８に示される優先順位に従って、コンテンツ表２０のコンテンツ枠に対応する動画像コンテンツをコンテンツ配信装置２から取得する。取得部１１は、コンテンツ配信装置２から、所定個数だけ動画像コンテンツを取得してもよく、又は、所定の時間内に取得できるだけ動画像コンテンツを取得してもよい。例えば、取得部１１は、再生対象コンテンツ枠の動画像再生データの表示が開始されてから終了するまでの期間にのみ、コンテンツ配信装置２から動画像コンテンツを取得する。又は、取得部１１は、動画像コンテンツ格納部１２の格納領域の制限内で、コンテンツ配信装置２から動画像コンテンツを取得する。なお、取得部１１は、既に取得済みの動画像コンテンツについては、コンテンツ配信装置２からの取得を実行しない。
【００４７】
（ステップＳ５）制御部１４は、操作部１７からの操作情報の入力に基づいてユーザによる操作の有無を判断する。ステップＳ５の判断の結果、ユーザによる操作ありの場合、制御部１４は、再生対象コンテンツ枠の再設定を実行する。この後、ステップＳ２に戻る。一方、ステップＳ５の判断の結果、ユーザによる操作なしの場合、ステップＳ６に進む。
【００４８】
（ステップＳ６）取得部１１は、コンテンツ表２０の更新か否かを判断する。コンテンツ表２０の更新は、コンテンツ配信装置２から通知される。ステップＳ６の判断の結果、コンテンツ表２０の更新である場合、ステップＳ７に進む。一方、ステップＳ６の判断の結果、コンテンツ表２０の更新ではない場合、ステップＳ８に進む。
【００４９】
（ステップＳ７）取得部１１は、コンテンツ配信装置２から、更新後のコンテンツ表２０を取得する。動画像コンテンツ格納部１２は、取得部１１が取得した更新後のコンテンツ表２０に従って、自己の格納領域を再構成する。同様に、静止画像格納部１５は、取得部１１が取得した更新後のコンテンツ表２０に従って、自己の格納領域を再構成する。取得部１１は、取得した更新後のコンテンツ表２０のコンテンツ枠の中から、再生対象コンテンツ枠として初期再生のコンテンツ枠を再設定する。再設定における初期再生のコンテンツ枠は、デフォルトで設定されてもよく、又は、ユーザの操作に基づいて設定されてもよい。例えば、各チャンネルにおいて、過去の直近で再生した動画像コンテンツのコンテンツ枠が初期再生のコンテンツ枠に設定される。
【００５０】
（ステップＳ８）図６の手順の終了の場合、図６の手順が終了される。例えば、ユーザが、コンテンツ再生制御プログラム４１を終了する操作を行うことによって、図６の手順が終了される。一方、図６の手順の継続の場合、ステップＳ５に戻る。
【００５１】
なお、動画像コンテンツ格納部１２は、図６の手順の終了時において、自己の格納領域に格納される動画像コンテンツの個数が所定個数を超える場合に、自己の格納領域に格納される動画像コンテンツのうち古い方の動画像コンテンツから所定個数だけを削除する。
【００５２】
次に図９から図１１を参照して、本実施形態に係る端末装置１の動作の具体例を説明する。図９から図１１は、本発明の一実施形態に係る端末装置１の動作例の説明図である。図９から図１１は図３のコンテンツ表２０に対応する。また、図７の表示画面１００に対応する。ここでは、図８に例示される動画像コンテンツの取得の優先順位の付け方で１位から３位までが取得対象のコンテンツ枠である。
【００５３】
（ステップＳ１０１）初期表示として、チャンネルｃｈ１が選択されており、チャンネルｃｈ１のコンテンツ枠ｃｏｎ１１が再生対象コンテンツ枠である。この初期表示では、動画像コンテンツの取得の優先順位（以下、単に優先順位と称する）を付けるときのコンテンツ枠の配置は、図３のコンテンツ表２０の配置である。再生対象コンテンツ枠であるコンテンツ枠ｃｏｎ１１の動画像再生データが第１コンテンツ表示部１２０−１に表示されることにより、コンテンツ枠ｃｏｎ１１の動画像コンテンツが再生中である。但し、コンテンツ枠ｃｏｎ１１の動画像コンテンツは、動画像コンテンツ格納部１２に格納されていないので、コンテンツ配信装置２から取得されてから再生が開始される。取得部１１は、優先順位「１位」のコンテンツ枠ｃｏｎ１２と優先順位「２位」のコンテンツ枠ｃｏｎ２１との各動画像コンテンツをコンテンツ配信装置２から取得し、取得した各動画像コンテンツを動画像コンテンツ格納部１２の対応する格納領域に格納する。なお、優先順位「３位」に該当するコンテンツ枠はないので、優先順位「３位」に係る動画像コンテンツの取得は実行されない。
【００５４】
（ステップＳ１０２）ユーザがコンテンツ表示部１２０をスクロールすることによって、チャンネルｃｈ１のコンテンツ枠ｃｏｎ１４が再生対象コンテンツ枠に再設定される。再生対象コンテンツ枠に再設定されたコンテンツ枠ｃｏｎ１４の動画像再生データが第１コンテンツ表示部１２０−１に表示されることにより、コンテンツ枠ｃｏｎ１４の動画像コンテンツが再生中である。但し、コンテンツ枠ｃｏｎ１４の動画像コンテンツは、動画像コンテンツ格納部１２に格納されていないので、コンテンツ配信装置２から取得してから再生が開始される。取得部１１は、優先順位「１位」のコンテンツ枠ｃｏｎ１５の動画像コンテンツをコンテンツ配信装置２から取得し、取得した動画像コンテンツを動画像コンテンツ格納部１２の対応する格納領域に格納する。なお、優先順位「２位」のコンテンツ枠ｃｏｎ２１については動画像コンテンツを取得済のため、優先順位「２位」に係る動画像コンテンツの取得は実行されない。また、優先順位「３位」に該当するコンテンツ枠はないので、優先順位「３位」に係る動画像コンテンツの取得は実行されない。
【００５５】
（ステップＳ１０３）ユーザがチャネルリスト部１１０のチャンネルｃｈ２の操作部分を選択することによって、チャンネルｃｈ２が選択される。チャンネルｃｈ２の選択により、チャンネルｃｈ２のコンテンツ枠ｃｏｎ２１が再生対象コンテンツ枠に再設定される。再生対象コンテンツ枠に再設定されたコンテンツ枠ｃｏｎ２１の動画像再生データが第１コンテンツ表示部１２０−１に表示されることにより、コンテンツ枠ｃｏｎ２１の動画像コンテンツが再生中である。但し、コンテンツ枠ｃｏｎ２１の動画像コンテンツは、ステップＳ１０１で既にコンテンツ配信装置２から取得されて動画像コンテンツ格納部１２に格納済みであるので、動画像コンテンツ格納部１２に格納される動画像コンテンツを使用して再生が開始される。これにより、コンテンツ配信装置２から動画像コンテンツを取得して再生する場合に比して、再生開始のタイミングを早くすることができる。取得部１１は、優先順位「１位」のコンテンツ枠ｃｏｎ２２と優先順位「２位」のコンテンツ枠ｃｏｎ３１との各動画像コンテンツをコンテンツ配信装置２から取得し、取得した各動画像コンテンツを動画像コンテンツ格納部１２の対応する格納領域に格納する。なお、優先順位「３位」のコンテンツ枠ｃｏｎ１４については動画像コンテンツを取得済のため、優先順位「３位」に係る動画像コンテンツの取得は実行されない。
【００５６】
（ステップＳ１０４）ユーザがコンテンツ表示部１２０をスクロールすることによって、チャンネルｃｈ２のコンテンツ枠ｃｏｎ２２が再生対象コンテンツ枠に再設定される。再生対象コンテンツ枠に再設定されたコンテンツ枠ｃｏｎ２２の動画像再生データが第１コンテンツ表示部１２０−１に表示されることにより、コンテンツ枠ｃｏｎ２２の動画像コンテンツが再生中である。但し、コンテンツ枠ｃｏｎ２２の動画像コンテンツは、ステップＳ１０３で既にコンテンツ配信装置２から取得されて動画像コンテンツ格納部１２に格納済みであるので、動画像コンテンツ格納部１２に格納される動画像コンテンツを使用して再生が開始される。これにより、コンテンツ配信装置２から動画像コンテンツを取得して再生する場合に比して、再生開始のタイミングを早くすることができる。取得部１１は、優先順位「１位」のコンテンツ枠ｃｏｎ２３の動画像コンテンツをコンテンツ配信装置２から取得し、取得した動画像コンテンツを動画像コンテンツ格納部１２の対応する格納領域に格納する。なお、優先順位「２位」のコンテンツ枠ｃｏｎ３１と優先順位「３位」のコンテンツ枠ｃｏｎ１４とについては動画像コンテンツを取得済のため、優先順位「２位」と「３位」とに係る動画像コンテンツの取得は実行されない。
【００５７】
（ステップＳ１０５）ユーザがチャネルリスト部１１０のチャンネルｃｈ３の操作部分を選択することによって、チャンネルｃｈ３が選択される。チャンネルｃｈ３の選択により、チャンネルｃｈ３のコンテンツ枠ｃｏｎ３１が再生対象コンテンツ枠に再設定される。再生対象コンテンツ枠に再設定されたコンテンツ枠ｃｏｎ３１の動画像再生データが第１コンテンツ表示部１２０−１に表示されることにより、コンテンツ枠ｃｏｎ３１の動画像コンテンツが再生中である。但し、コンテンツ枠ｃｏｎ３１の動画像コンテンツは、既にコンテンツ配信装置２から取得されて動画像コンテンツ格納部１２に格納済みであるので、動画像コンテンツ格納部１２に格納される動画像コンテンツを使用して再生が開始される。これにより、コンテンツ配信装置２から動画像コンテンツを取得して再生する場合に比して、再生開始のタイミングを早くすることができる。取得部１１は、優先順位「１位」のコンテンツ枠ｃｏｎ３２と優先順位「２位」のコンテンツ枠ｃｏｎ４１との各動画像コンテンツをコンテンツ配信装置２から取得し、取得した各動画像コンテンツを動画像コンテンツ格納部１２の対応する格納領域に格納する。なお、優先順位「３位」のコンテンツ枠ｃｏｎ２２については動画像コンテンツを取得済のため、優先順位「３位」に係る動画像コンテンツの取得は実行されない。
【００５８】
（ステップＳ１０６）ユーザがコンテンツ表示部１２０をスクロールすることによって、チャンネルｃｈ３のコンテンツ枠ｃｏｎ３７が再生対象コンテンツ枠に再設定される。再生対象コンテンツ枠に再設定されたコンテンツ枠ｃｏｎ３７の動画像再生データが第１コンテンツ表示部１２０−１に表示されることにより、コンテンツ枠ｃｏｎ３７の動画像コンテンツが再生中である。但し、コンテンツ枠ｃｏｎ３７の動画像コンテンツは、動画像コンテンツ格納部１２に格納されていないので、コンテンツ配信装置２から取得してから再生が開始される。取得部１１は、優先順位「１位」のコンテンツ枠ｃｏｎ３８の動画像コンテンツをコンテンツ配信装置２から取得し、取得した動画像コンテンツを動画像コンテンツ格納部１２の対応する格納領域に格納する。なお、優先順位「２位」のコンテンツ枠ｃｏｎ４１と優先順位「３位」のコンテンツ枠ｃｏｎ２２とについては動画像コンテンツを取得済のため、優先順位「２位」と「３位」とに係る動画像コンテンツの取得は実行されない。
【００５９】
（ステップＳ１０７）ユーザがチャネルリスト部１１０のチャンネルｃｈ１の操作部分を選択することによって、チャンネルｃｈ１が選択される。チャンネルｃｈ１の選択により、チャンネルｃｈ１のコンテンツ枠ｃｏｎ１４が再生対象コンテンツ枠に再設定される。再生対象コンテンツ枠に再設定されたコンテンツ枠ｃｏｎ１４の動画像再生データが第１コンテンツ表示部１２０−１に表示されることにより、コンテンツ枠ｃｏｎ１４の動画像コンテンツが再生中である。但し、コンテンツ枠ｃｏｎ１４の動画像コンテンツは、既にコンテンツ配信装置２から取得されて動画像コンテンツ格納部１２に格納済みであるので、動画像コンテンツ格納部１２に格納される動画像コンテンツを使用して再生が開始される。これにより、コンテンツ配信装置２から動画像コンテンツを取得して再生する場合に比して、再生開始のタイミングを早くすることができる。なお、優先順位「１位」のコンテンツ枠ｃｏｎ１５と優先順位「２位」のコンテンツ枠ｃｏｎ２２とについては動画像コンテンツを取得済のため、また、優先順位「３位」に該当するコンテンツ枠はないため、動画像コンテンツの取得は実行されない。
【００６０】
本実施形態によれば、本動画像コンテンツの紹介としてコンテンツ表２０に含まれる再生対象コンテンツ枠の動画像コンテンツが端末装置１の表示画面上で再生されるので、サムネイル画像のみでの本動画像コンテンツの紹介に比して、本動画像コンテンツに対するユーザの関心を引く効果が得られる。
【００６１】
また、本実施形態によれば、再生対象コンテンツ枠を基準に所定の優先順位に従ってコンテンツ表２０のコンテンツ枠に対応する動画像コンテンツがコンテンツ配信装置２から取得されて動画像コンテンツ格納部１２に格納される。これにより、再生される可能性がある動画像コンテンツを予めコンテンツ配信装置２から取得して動画像コンテンツ格納部１２に格納しておくことができる。このことから、本実施形態によれば、再生対象コンテンツ枠の動画像コンテンツの再生時に、コンテンツ配信装置２から再生対象コンテンツ枠の動画像コンテンツを取得して再生する場合に比して、動画像コンテンツ格納部１２に事前に準備された再生対象コンテンツ枠の動画像コンテンツを再生することで再生開始のタイミングを早くすることができる。これにより、ユーザに対して、動画像コンテンツの再生による円滑な本動画像コンテンツの紹介を行うことができる。これは、本動画像コンテンツに対するユーザの関心度の向上に寄与できる。
【００６２】
以上、本発明の実施形態について図面を参照して詳述してきたが、具体的な構成はこの実施形態に限られるものではなく、本発明の要旨を逸脱しない範囲の設計変更等も含まれる。
【００６３】
例えば、上述した図３に示されるコンテンツ表２０では、各列にチャンネルｃｈ１，ｃｈ２，ｃｈ３，ｃｈ４，ｃｈ５，・・・を割り当てし、行を項番としたが、各行にチャンネルｃｈ１，ｃｈ２，ｃｈ３，ｃｈ４，ｃｈ５，・・・を割り当てし、列を項番としてもよい。また、項番は、新しい方の動画像コンテンツから順番に付与されてもよく、又は、古い方の動画像コンテンツから順番に付与されてもよい。また、項番は、一定数の個数だけ付与されてもよい。この場合、一定数の項番を超えるときには、例えば、古い方の動画像コンテンツをコンテンツ表から削除することが挙げられる。
【００６４】
また、端末装置１は、ウェブブラウザーを使用してコンテンツ配信装置２にアクセスするものであってもよい。
【００６５】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６７】
１…端末装置、２…コンテンツ配信装置、３…通信ネットワーク、１１…取得部、１２…動画像コンテンツ格納部、１３…再生部、１４…制御部、１５…静止画像格納部、１６…表示部、１７…操作部、２０…コンテンツ表、３１…ＣＰＵ、３２…プログラム記憶部、３３…データ記憶部、３４…通信モジュール、３５…入力デバイス、３６…表示デバイス、４１…コンテンツ再生制御プログラム
【図１】
0006050416.tif 000002
【図２】
0006050416.tif 000003
【図３】
0006050416.tif 000004
【図４】
0006050416.tif 000005
【図５】
0006050416.tif 000006
【図６】
0006050416.tif 000007
【図７】
0006050416.tif 000008
【図８】
0006050416.tif 000009
【図９】
0006050416.tif 000010
【図１０】
0006050416.tif 000011
【図１１】
0006050416.tif 000012